(57)【要約】【課題】拇趾と第２趾および第４趾と小趾が接しない状態にするとともに、足の指先を上下方向に動きかつ足底をアーチ状に保持する外反拇趾および内反小趾矯正器具が求められている。【解決手段】板形状のベースと、前記ベースに垂直方向にかつ前記ベースの先端から突出すように取り付ける少なくとも１個以上の平面形状の板とから構成したベース部であって、前記平面形状の板は足の指の間に挿むとともに前記ベース部は足裏の指の付け根に置く。【選択図】図６
2017225657.tif 000002
【特許請求の範囲】
【請求項１】
板形状のベースと、前記ベースに垂直方向に取り付ける少なくとも１個以上の平面形状の板とから構成したベース部であって、前記平面形状の板は足の指の間に挿むとともに前記ベースは足裏の指の付け根に置くことを特徴とする外反拇趾および内反小趾矯正器具。
【請求項２】
請求項１において、前記ベースと前記板の素材は熱可塑性樹脂や連続気泡性の柔軟材であるとともに、前記ベースは足を載せて体重が掛かった状態でも潰れない強度を備える素材を用いることを特徴とする外反拇趾および内反小趾矯正器具。
【請求項３】
請求項１において、面接着と面脱着可能な接着部材１を下面に備える前記ベースとともに、面接着と面脱着可能な接着部材２を備えた面状の履物とで構成されることを特徴とする外反拇趾および内反小趾矯正器具。
【発明の詳細な説明】
【技術分野】
【０００１】
この発明は、外反拇趾および内反小趾を防止するまたは矯正する器具に関するものである。
【背景技術】
【０００２】
外反拇趾は、足の指先全体が中央に寄るような締め付け力を常に受けた結果拇趾（足の親指）の第２関節部分が横外方に突出する疾患、また前記拇趾の先が、それと隣り合う前記第２趾（足の人差し指）の上または下に乗り上げるように曲がる疾患である。内反小趾は、前記拇趾と反対側の足の小趾（足の小指）が内側に曲がり、前記小趾の第５中足骨部分が横外方向の突出する疾患、また前記小趾の先が、それと隣り合う前記第４趾の上または下に乗り上げるように曲がる疾患である。足の先端が狭くなった靴を履く女性に多く見られる疾患である。
【０００３】
拇趾と第２趾を、または小趾と第４趾（足の薬指）を物理的に離反する機構を備えることで外反拇趾、または内反小趾を予防するあるいは矯正するサポータ、履物そして靴などが従来から知られている。
【０００４】
実公平０１−１４７４０号公報（特許文献１）は、拇趾の第１関節にはめ込む筒対と、足の甲を固定する固定部材と、前記筒対と前記固定部材を連結する引っ張り部材から構成することを特徴とする外反拇趾矯正具であって、前記固定部材と、前記引張部材は長さが調整できるとともに、靴を履いて歩行する場合に、足の爪先部分が靴の爪先容部内壁に摺接して足に擦傷を与えず、外反拇趾の助長を防止可能にする。
【０００５】
特開平０９−１０００８号公報（特許文献２）は、拇趾と第２趾の指股部の位置に挿入する指間挿入障壁を備えた、平面形状のスポンジ部材を特徴とする靴内装下敷である。靴底内面に固定される靴中底又は靴中底上に敷かれ靴内壁に拘束される靴中敷に具備させた指間挿入壁を指で挟むために、該指間挿入壁が靴内での足の爪先部分の動きを止め、靴の爪先容部内壁との摺接や、内壁による当接圧迫を軽減する。
【先行技術文献】
【特許文献】
【０００６】
【特許文献１】実公平０１−１４７４０号公報
【特許文献２】特開平０９−１０００８号公報
【発明の概要】
【発明が解決しようとする課題】
【０００７】
外反拇趾および内反小趾の防止、矯正対策は、前記拇趾と前記第２趾および前記第４趾と前記小趾が接触しない状態に置くとともに、足の指先を良く動かせる（指先の部分に空間があり、指先が動かせる）さらに、足裏側に空隙空間を備えることで足底をアーチ状に保ち、筋肉と腱の機能を強くすることが根本的な解決策である。
【０００８】
前記特許文献１は、前記拇趾に装着する筒対に対し、前記筒体と固定部材とで連結する引張部材により前記拇趾が、前記第２趾から引き離す方向に常に力が働くことが可能であるが、足の指先を動かして、足の筋肉と腱の機能を回復ないし強化することは困難である。また、足底をアーチ状に保持する技術の開示はされていない。前記特許文献１は、内反小趾に関しては何も触れていない。
【０００９】
前記特許文献２は、前記拇趾と前記第２趾の指股部の位置に指間挿入障壁を備えているため、前記拇趾が前記第２趾の上または下に乗り上げるように曲ることは防げるが、前記拇趾と前記第２趾は固定されたままの状態にあり足の指先を動かすことは困難である。土踏まず壁を備えているが、足裏側に空隙空間を備えていないことから前記土踏まず壁は足底をアーチ状に保持して筋肉と腱の機能回復することに寄与しない。
【００１０】
拇趾と第２趾および第４趾と小趾が接しない状態にするとともに、足の指先を上下方向に動きかつ足底をアーチ状に保持する外反拇趾および内反小趾矯正器具が求められている。
【課題を解決するための手段】
【００１１】
板形状のベースと、前記ベースに垂直方向にかつ前記ベースの先端から突出すように取り付ける少なくとも１個以上の平面形状の板とから構成したベース部であって、前記平面形状の板は足の指の間に挿むとともに前記ベース部は足裏の指の付け根に置く。
【発明の効果】
【００１２】
拇趾と第２趾および第４趾と小趾が物理的に接しない状態を保つために、前記拇趾と、前記小趾は隣逢う指の方向に曲がることはなく、足の指先を上下方向に容易に動かせる。また、足裏に空隙空間を備えることから、足底をアーチ状に保持する筋肉と腱の回復ないし強化することが可能になる。
【図面の簡単な説明】
【００１３】
【図１】本発明のベース部の３面図
【図２】本発明のベース部の斜視図
【図３】本発明のベース部と足との関係を示す前面図
【図４】本発明の足の指先を前後方向に動きかつ足底をアーチ状に保持することを示す図
【図５】本発明（実施の形態１）の展開図
【図６】本発明（実施の形態１）の斜視図
【図７】本発明（実施の形態２）の説明図
【発明を実施するための最良の形態】
【００１４】
本発明の実施の形態１.を図１から図６を参照しながら詳細に説明する。
【００１５】
実施の形態１．
【００１６】
図１（a）、図１（b）そして図１（c）は、それぞれ本発明の右足ベース部の平面図、側面図そして正面図である。BS−R１は、右足ベースである。WL−R１は前記右足ベースBS−R１に垂直に取り付ける第１の右足用指間挿入壁であり、右足の拇趾と右足の第２趾の間に挟む。WL−R２は前記右足ベースBS−R１に垂直に取り付ける第２の右足用指間挿入壁であり、右足の小趾と右足の第４趾の間に挟む。前記指間挿入壁のWL−R１とWL−R２は足指の間に挿み、前記右足ベースBS−R１は、足指の付け根付近に置くことを想定している関係から、前記指間挿入壁のWL−R１とWL−R２は、前記右足ベースBS−R１の先端から突出すように前記右足ベースBS−R１に固定することを前記図１（b）が示している。固定手段は、接着剤、熱融解など既存の方法で行う。前記右足ベースBS−R１と前記指間挿入壁のWL−R１とWL−R２の材質は、ここでは熱可塑性樹脂や連続気泡性のスポンジなどの柔軟材であることを想定している。この様に前記右足のベース部は、前記右足ベースBS−R１、前記指間挿入壁のWL−R１とWL−R２から構成している。CB−R１は前記右足ベースBS−R１の底面にセットした面テープである。前記面テープCB−R１は必要に応じて前記右足ベースBS−R１に備えるものである。前記右ベースBS−R１の断面の形状は板形状では無く、上面が凸状のかまぼこ形状であってもかまわない。また本発明の前記右ベースBS−R１の平面の形状は、矩形の形状にしていないのは右足の拇趾を載せる箇所の面積と、右足の小趾を載せる箇所の面積が異なるためであるが、前記右ベースBS−R１の平面は矩形の形状であってもかまわない。
【００１７】
本発明の左足のベース部（平面図、側面図と正面図は図示せず）は、その構成する各要素すなわちベースと複数の指間挿入壁は前記右足ベース部と同一であるが、前記右足ベース部と対象の位置関係となる。前記左足ベース部の素材は、前記右足ベース部の素材と同一とする。
【００１８】
図２（a）、図２（ｂ）は、それぞれ本発明の左足ベース部と右足ベース部の斜視図である。BS−L１は左足ベース、WL−L１は左足の拇趾と左足の第２趾の間に挟む第１の指間挿入壁、そしてWL−L２は左足の小趾と左足の第４趾の間に挟む第２の指間挿入壁である。前記右足ベースBS−R１と、前記右足ベースBS−L１はそれぞれ右足の指の付け根部、左足の付け根部に置くこと想定している。
【００１９】
前記指間挿入壁WL−R１において、互いに反対側となる２つの平面、また前記指間挿入壁WL−R２において、互いに反対側の平面は、それぞれの面に接する足の指先の外面に沿うように抉り面にしている。R１は前記指間挿入壁WL−R１の右足第２趾の外面に沿う抉り面を示す。前記指間挿入壁WL−R１の右足拇趾に沿う抉り面は図示しない。R２は前記指間挿入壁WL−R２の右足小趾の外面に沿う抉り面を示している。前記指間挿入壁WL−R２の右足第４趾に沿う抉り面は図示しない。
【００２０】
L１は前記指間挿入壁WL−L１の左足第２趾の外面に沿う抉り面を示す。前記指間挿入壁WL−L１左足拇趾に沿う抉り面は図示しない。L２は前記指間挿入壁WL−L２の左足小趾の外面に沿う抉り面を示している。前記指間挿入壁WL−L２の左足第４趾に沿う抉り面は図示しない。
【００２１】
図３は、本発明の右足ベース部と右足との関係を示す前面図であり、前記右足を前記右足ベース部に載せた状態を表す。符号１は右足の拇趾、符号２は右足の小趾である。符号３は右足の足首である。前記指間挿入壁WL−R１は、前記右足の拇趾１と右足の第２趾の指の間に挿む。前記指間挿入壁WL−R２は、前記右足の小趾２と右足の第４趾の指の間に挿む。前記指間挿入壁WL−R１と前記指間挿入壁WL−R２により、前記拇趾と前記第２趾および、前記第４趾と前記小趾は互いに物理的に接しない状態に保持される。前記右足ベースBS−R１は足裏に置くことを前提としていることから、足の幅と同じ、または足の幅より少し小さいことが望ましい。
【００２２】
本発明の左足ベース部と左足との関係を示す前面図は図示していないが、前記図３と左右対称の状態にある。
【００２３】
図４は、本発明の外反拇趾および内反小趾矯正器具を用いることで、足の指先を上下方向に動かせるとともに足底をアーチ状に保持できることを説明する側面図である。図４（a）は右足の足の指先の根本に前記右足ベースBS−R１を載せて状態を表す。B−１は本発明の外反拇趾および内反小趾矯正器具と足の位置関係を説明するために用いる水平基準面である。符号４は、右足の踵である。前記図４（a）は、足の指先の下は空間が存在し、同時に右足の足裏の空隙空間DR−１が構成されて足底をアーチ状に保持することを示す。図４（b）は、前記右足の足底をアーチ状に保持したまま足の指先を下側に任意に動かせることを示す。ここでは前記右足ベースBS−R１の材質は、前記右足を載せて体重が載った状態でも潰れない強度を備える材料であるとする。前記右足ベースBS−R１の前記水平基準面B−１からの高さは、右足を載せた時、足底がアーチ状に形成するのに必要な適切な高さとなることを想定している。
左足と前記左足ベースBS−L１の位置関係を示す図は示していない。
【００２４】
図５（a）は、前記右足ベース部を装着する前のスリッパの展開図である。SR−１は右側 スリッパの底面であり、SL−R１、SL−R２は軟性を備え紐である。尚前記紐SL−R１、SL−R２の先端は図に描いていないが、先端にそれぞれ面ファスナーを備え紐の連結の長さを調整できる。CS−R１は面ファスナーであり、前記右足ベースBS−R１の下面に装着している前記面ファスナーCB−R１と接合する。なお、前記面ファスナーCS−R１は、前記右側スリッパSR−１の右足の指の付け根ないしその近傍に当たる箇所に設置されることを想定している。右側スリッパの底面SR−１に取り付ける紐のSL−R１、SL−R２は、足を固定するものであるので、足を固定する機能として紐に限定せず、筒状の伸縮性を備えたバンドであってもかまわない。
【００２５】
図５（ｂ）は、前記右側スリッパの底面SR−１に前記右足ベースBS−R１を取り付けた状態を示すスリッパの展開図である。
【００２６】
左側スリッパは図示しないが、前記右側スリッパと構成は同一であるが左右対称の状態である。
【００２７】
図６は、前記右足ベースBS−R１を取り付けた前記右側スリッパの斜視図である。
【００２８】
本発明の本発明の実施の形態１のスリッパは、室内で使うが、外出時は靴の靴内装下敷として使っても良い。またスリッパではなく外出用のサンダルとして用いても良い。
【００２９】
本発明の実施の形態２.を図７を参照しながら詳細に説明する。
【００３０】
実施の形態２．
【００３１】
図７（a）は、前記右足ベース部を装着する前の右足バンドSL−３の展開図である。CL−R１は面ファスナーであり、前記右足ベースBS−R１の下面に装着している前記面ファスナーCB−R１と接合する。CL−R２１とCL−R２２は面ファスナーであり、互いに接合して前記右足バンドSL−３を右足に装着する。
【００３２】
図７（b）は、前記右足ベースBS−R１を備えた前記右足バンドSL−３を右足に装着した状態を示す斜視図である。前記右足バンドSL−３は、右足の足の指先の付け根に装着することを想定している。左足バンドの説明図は図示せず。
【００３３】
前記右足バンドと左足バンドは、室内では足に直接または靴下の上に履いても良いし、外出時は靴の中に入れて活用しても良い。
【符号の説明】
【００３４】
１                         右足の拇趾（足の親指）
２                         右足の小趾（足の子指）
３                         右足の足首
４                         右足の踵
BS−R１                   板形状の右足ベース
BS−L１                   板形状の左足ベース
WL−R１、WL−R２        右足用指間挿入壁
WL−L１、WL−L２        左足用指間挿入壁
R１、R２、L１、L２        抉り面（えぐり取った曲面）  
CB−R１、CS−R１         面ファスナー
CL−R１                   面ファスナー
CL−R２１、CL−R２２     面ファスナー
DR−１                     右足の足裏の空隙空間
B−１                      水平基準面
SR−１                     右足スリッパの底面
SL−R１、SL−R２          紐（右足スリッパ用）
SL−３                     右足バンド
【図１】
2017225657.tif 000003
【図２】
2017225657.tif 000004
【図３】
2017225657.tif 000005
【図４】
2017225657.tif 000006
【図５】
2017225657.tif 000007
【図６】
2017225657.tif 000008
【図７】
2017225657.tif 000009